(57)【要約】【課題】    溶融加熱を不要とし加圧工程のみによって製造することにより、製造が容易でかつ製造コストの低減が図れる擬似接着シートを提供すること。また、使用済みのシートを焼却した際に有害ガスが発生しない擬似接着シートを提供すること。【解決手段】    フィルム基材１０，２０が食品包装用ラップフィルムとして開発されたフィルムである。フィルム基材１０，２０は、ポリオレフィン系樹脂であり、添加物として柔軟剤（例えば、脂肪酸エステル）が混入されている。２枚のフィルム基材１０，２０をフィルム原反１，２から引き出して重合し、接合面を加圧ローラ３，３によって圧着して接合面を擬似的に接着する。【選択図】    図１
2005220195.tif 000002
【特許請求の範囲】
【請求項１】
フィルム基材が食品包装用ラップフィルムとして開発されたフィルムであり、２枚のフィルム基材を重合圧着して接合面を擬似的に接着したことを特徴とする擬似接着シート。
【請求項２】
フィルム基材が食品包装用ラップフィルムとして開発されたフィルムであり、２枚のフィルム基材を重合し、圧着工程により該フィルム基材同士を圧着して接合面を擬似的に接着することを特徴とする擬似接着シートの製造方法。
【請求項３】
圧着工程が、加圧ローラであることを特徴とする請求項２に記載の擬似接着シートの製造方法。
【発明の詳細な説明】
【技術分野】
【０００１】
本発明は、擬似接着シート及びその製造方法に関するものであって、詳しくは、シークレットラベル、見開き４面葉書、各種伝票など多くの用途に使用されている擬似接着シートに関している。
【背景技術】
【０００２】
擬似接着シートは、２枚のプラスチックフィルムを剥離可能で再接着不可に接着したものであり、シークレットラベル、見開き４面葉書、各種伝票などを始め多くの用途に使用されている。
【０００３】
擬似接着シートの従来技術は特許文献１に開示されている。特許文献１の明細書段落番号０００３に、「例えば図８（ａ）は、基材シート１と粘着剤層２と合成樹脂フィルム層３（ポリエチレンテレフタレートフィルム）とからなるシートと、基材シート４と粘着剤層５と合成樹脂フィルム層３とは異質の合成樹脂フィルム層６（ポリエチレンフィルム）とからなるシートを、合成樹脂フィルム層３，６にて重ね合わせ積層したもので、互いに融点の異なる異質の合成樹脂フィルム層３，６は加熱溶融状態で加圧することにより接着しており、その接着界面は易剥離可能に擬似的に接着しているものであり、図８（ｂ）に示すように基材シート１，４は合成樹脂フィルム層３，６の接着界面にて容易に剥離するようになっている。」と記載されており、図８に示され技術が従来技術であると紹介されている。
【０００４】
特許文献１の発明が解決しようとする課題は、それまでの従来技術の問題点を解決したものであり、溶融過熱工程と加圧工程を必要としていた方法を改良し、溶融加熱工程を必要とせずに製造できる擬似接着シートを提供することであるとされている。すなわち、特許文献１の発明は、第１シート（１１）の片面に強い接着力のある紫外線硬化型の擬似接着樹脂層（１２）を積層し、該紫外線硬化型の擬似接着樹脂層（１２）に透明な第２シート（１３）を剥離可能に擬似接着するものである。ここで、第１シート及び第２シートのいずれか一方のシートを紫外線硬化型の擬似接着樹脂層に強力に接着し、他方のシートを易剥離可能に擬似接着するようにするため、第１及び第２シートのそれぞれの材料並びに紫外線硬化型の擬似接着樹脂の種類を選択するものである。
【０００５】
特許文献１に記載された発明は、擬似接着シートの製造に際し、溶融加熱工程を必要としないので、それまでの従来技術に比べれば生産効率が向上し製造が容易になったと言えるが、重合する２枚のシートは紫外線硬化型の擬似接着樹脂に対し接着力が異なる種類を選定すること、シート間に紫外線硬化型の擬似接着樹脂を積層していることを要件としており、必ずしも製造が容易となり製造コストが引き下げられることには結びつかないものであった。
【０００６】
一方、市販されている多くの擬似接着シートは、塩化ビニール系樹脂が使用されているので、焼却した時に有害ガスが発生し安全性に欠けると言う問題も抱えている。
【０００７】
【特許文献１】特開２００２−３６１７７１号公開特許公報
【発明の開示】
【発明が解決しようとする課題】
【０００８】
本発明の課題は、溶融加熱を不要とし加圧工程のみによって製造することにより、製造が容易でかつ製造コストの低減が図れる擬似接着シートを提供することである。
【０００９】
また、本発明の他の課題は、シートの資材としてポリオレフィン系樹脂を使用することにより、使用済みのシートを焼却した際に有害ガスが発生しない擬似接着シートを提供することである。
【課題を解決するための手段】
【００１０】
解決手段の第１は、フィルム基材が食品包装用ラップフィルムとして開発されたフィルムであり、２枚のフィルム基材を重合圧着して接合面を擬似的に接着したことを特徴とするものである。
【００１１】
解決手段の第２は、フィルム基材が食品包装用ラップフィルムとして開発されたフィルムであり、２枚のフィルム基材を重合し、圧着工程により該フィルム基材同士を圧着して接合面を擬似的に接着することを特徴とするものである。また、圧着工程が、加圧ローラであることを特徴とする。
【発明の効果】
【００１２】
本発明は、フィルム基材が食品包装用ラップフィルムとして開発されたフィルムであって、フィルムに脂肪酸エステル等の柔軟材が添加物として混入されているので、フィルム基材は表面に濡れ性があるので、重合したフィルム基材を接合面から空気が除去される加圧力によって加圧するだけで、２枚のフィルム基材は剥離可能で再接着不可に接着できるので、製造が容易であり製造コストの大幅削減が可能となる効果がある。
【００１３】
また、本発明は、フィルム基材を食品包装用ラップフィルムとして開発されたフィルムのうち、ポリオレフィン系樹脂フィルムを使用することにより、使用後に焼却してもダイオキシン等の有害ガスが発生しないので安全性が高いものが得られることの効果がある。
【発明を実施するための最良の形態】
【００１４】
本発明は、食品包装用ラップフィルムとして開発され市販されているフィルムを使用するものであって、２枚のフィルム基材を重合圧着して擬似的に接着させたものである。本発明で使用するフィルム基材は、ポリオレフィン系樹脂であり、添加物として柔軟剤（例えば、脂肪酸エステル）が混入されているものであり、フィルム原反１，２に巻き取られたフィルム機材１０，２０は同じ種類のものを使用する。各フィルム原反１，２から引き出されたフィルム基材１０，２０は、重合し接合面から空気が除去されるまで加圧して、剥離可能で再接着不可の密着状態に接着して擬似接着シート３０を形成する。
【００１５】
食品包装用ラップフィルムとして使用されているフィルム基材は、脂肪酸エステル等の柔軟材が添加物として混入されているので、フィルム基材は表面に濡れ性があり、フィルム同士は勿論のこと樹脂製品や金属製品に対し密着する性質を備えているので、重合したフィルム基材１０，２０を接合面から空気が除去される加圧力によって加圧すれば、フィルム基材１０，２０は剥離可能で再接着不可に接着される。
【００１６】
また、フィルム基材が、ポリオレフィン系樹脂フィルムであれば、使用後に焼却した場合であっても、ダイオキシン等の有害ガスが発生しないから安全性が高いものとなる。
【実施例】
【００１７】
図１は本発明の製造方法を実施する具体例を示す構造図であり、図２は擬似接着シートの構造を示す断面図である。１，２はフィルム原反を示しており、フィルム基材１０，２０は、エヌピーフィルム株式会社が「スーパーワンラップ（商標）」として製造販売している食品包装用ラップフィルムと同種類のフィルムであって、ポリオレフィン系樹脂フィルムに脂肪酸エステル等の柔軟剤を添加物として混入したものである。
【００１８】
フィルム基材１０，２０は、透明、半透明のどちらの資材でもよいが、好ましくは透明資材が良い。なお、フィルム基材１０，２０の厚みは１０μ程度である。
【００１９】
フィルム原反１，２から引き出したフィルム基材１０，２０を重合して加圧工程を実行する加圧ローラ３，３の間を通し、当該加圧ローラ３，３の加圧力によって接合面から空気を除去し、剥離可能で再接着不可の擬似接着シート３０が擬似接着部４０を設けた状態で形成される。図中、４は擬似接着シート３０を巻き取ったシート巻取り原反である。シート巻取り原反４は、フィルム基材１０，２０同士が互いに接合しているが、ここでの接合は、各フィルム基材の接合面に空気が介在している接合なので、当該シート巻取り原反４が擬似的にせよ接着することはない。
【００２０】
次に、擬似接着シートの使用例を説明する。図３はシークレットラベルを示している。図において、１００はカード又は用紙となる用紙基材、１０１は隠蔽シートであり、用紙基材１００と隠蔽シート１０１の間に擬似接着シート３０を感圧性接着剤１０２により接着したものである。１０３は、カード１００に表記した隠蔽情報であり、隠蔽シート１０１により目視不可になっている。隠蔽シート１０１を強い力で引き上げると、擬似接着シート３０の擬似接着部４０が剥離し、フィルム基材１０は用紙基材１００に接着されたまま該用紙基材１００に残り、またフィルム基材２０は隠蔽シート１０１に接着されたまま該隠蔽シート１０１に残る。これにより、用紙基材１００に表記された隠蔽情報１０３を読み取ることができるようになる。
【００２１】
図３は擬似接着シートをシークレットラベルに適用した例を示したが、用紙基材及び隠蔽シートを葉書用紙に置き換えれば見開き４面葉書となるものであり、このように本発明の擬似接着シートは多くの用途に適用できるものである。
【図面の簡単な説明】
【００２２】
【図１】本発明の製造方法を実施する具体例を示す構造図。
【図２】擬似接着シートの構造を示す断面図。
【図３】擬似接着シートをシークレットラベルに適用した使用例を示す断面図。
【符号の説明】
【００２３】
１  フィルム原反
２  フィルム原反
３  加圧ローラ
４  シート巻取り原反
１０  フィルム基材
２０  フィルム基材
３０  擬似接着シート
４０  擬似接着部
１００  用紙基材
１０１  隠蔽シート
１０２  感圧性接着剤
１０３  隠蔽情報
【図１】
2005220195.tif 000003
【図２】
2005220195.tif 000004
【図３】
2005220195.tif 000005